(57)【特許請求の範囲】
【請求項１】
複数の断層像を基に再構成された陰影付け三次元画像及び重み付け投影画像のうちの少なくとも一方の画像を再構成する再構成手段と、
前記再構成手段で再構成された陰影付け三次元画像及び重み付け投影画像のうちの少なくとも一方の画像上に第１の関心領域を合成した第１の合成画像を表示する第１の表示手段と、
前記複数の断層像のうちの一枚の断層像を選択する第１の選択手段と、
前記第１の選択手段によって選択された断層像上に、前記第１の関心領域を通過する投影線と前記断層像との交点の領域である第２の関心領域を合成した第２の合成画像を表示する第２の表示手段と、
前記第１の表示手段に表示させる前記第１の合成画像の変更を指示する第１の指示手段と、
前記第１の指示手段によって前記第１の合成画像が変更された場合には、当該変更後の第１の合成画像の基となる陰影付け三次元画像及び重み付け投影画像のうちの少なくとも一方の画像と、前記第２の合成画像の基となる断層像との間に使用関係があるかどうかを判断する判断手段と、
を備え、
前記判断手段によって前記第１の合成画像の基となる陰影付け三次元画像及び重み付け投影画像のうちの少なくとも一方の画像と前記第２の合成画像の基となる断層像との間に使用関係がないと判断された場合には、前記第１の選択手段は、前記再構成された陰影付け三次元画像及び重み付け投影画像のうちの少なくとも一方の画像と使用関係がある複数の断層像のうちの一枚の断層像を選択し、
前記第２の表示手段は、前記第１の選択手段により選択された一枚の断層像上に第２の関心領域を合成した第２の合成画像を表示することを特徴とする画像表示装置。
【請求項２】
前記再構成手段で用いられる前記複数の断層像を選択する第２の選択手段と、
前記第２の表示手段に表示させる前記第２の合成画像の変更を指示する第２の指示手段と、
前記第２の指示手段によって前記第２の合成画像が変更された場合には、当該変更後の第１の合成画像の基となる陰影付け三次元画像及び重み付け投影画像のうちの少なくとも一方の画像と前記第２の合成画像の基となる断層像との間に使用関係があるかどうかを判断する判断手段と、
を備え、
前記判断手段において前記第１の合成画像の基となる陰影付け三次元画像及び重み付け投影画像のうちの少なくとも一方の画像と前記第２の合成画像の基となる断層像との間に使用関係がないと判断された場合には、前記第２の選択手段は、前記一枚の断層像と使用関係がある複数の断層像を選択し、
前記再構成手段は、前記第２の選択手段により選択された複数の断層像を基に陰影付け三次元画像及び重み付け投影画像のうちの少なくとも一方の画像を再構成し、
前記第１の表示手段は、前記再構成手段において前記第２の選択手段により選択された複数の断層像を基に再構成された陰影付け三次元画像及び重み付け投影画像のうちの少なくとも一方の画像上に第１の関心領域を合成した第１の合成画像を表示することを特徴とする請求項１に記載の画像表示装置。
【請求項３】
前記再構成手段において、前記重み付け投影画像を再構成時に用いる重み付け関数のパラメータを変更する重み付け関数変更手段を備え、
前記再構成手段は、前記重み付け関数変更手段で前記重み付け関数のパラメータが変更された場合には、前記重み付け投影画像を再構成することを特徴とする請求項１に記載の画像表示装置。
【請求項４】
前記第１の合成画像又は前記第２の合成画像を含む複数の関連した画像を１画面上に表示する第３の表示手段と、
ポインティングデバイスと、
前記ポインティングデバイスによって指令された位置に実カーソルを表示させるカーソル表示手段であって、実カーソルが前記第３の表示手段で表示された複数の画像のうちの１つの画像上に位置すると、前記第３の表示手段で表示された複数の画像のうちの他の画像上に前記実カーソルの位置に対応する位置に複製カーソルを表示させ、前記実カーソルが前記画像上に位置しない場合には、該実カーソルのみを表示させるカーソル表示手段と、
を備えたことを特徴とする請求項１に記載の画像表示装置。
【請求項５】
複数の断層像を基に再構成された陰影付け三次元画像及び重み付け投影画像のうちの少なくとも一方の画像を再構成する再構成手段と、
前記再構成手段で再構成された陰影付け三次元画像及び重み付け投影画像のうちの少なくとも一方の画像上に第１の関心領域を合成した第１の合成画像を表示する第１の表示手段と、
前記複数の断層像のうちの一枚の断層像を選択する第１の選択手段と、
前記第１の選択手段によって選択された断層像上に、前記第１の関心領域を通過する投影線と前記断層像との交点の領域である第２の関心領域を合成した第２の合成画像を表示する第２の表示手段と、
前記陰影付け三次元画像及び重み付け投影画像のうちの少なくとも一方の画像と、前記断層像との間に使用関係があるかどうかを判断する判断手段と、
前記第１の表示手段に表示させる前記第１の合成画像の変更を指示する第１の指示手段と、
を備え、
前記第１の指示手段によって前記第１の合成画像が変更された場合には、前記第１の選択手段は、前記第１の合成画像の基となる陰影付け三次元画像及び重み付け投影画像のうちの少なくとも一方の画像と前記判断手段により使用関係ありと判断された複数の断層像のうちの一枚の断層像を選択し、
前記第２の表示手段は、前記第１の選択手段により選択された一枚の断層像上に第２の関心領域を合成した第２の合成画像を表示することを特徴とする画像表示装置。
【請求項６】
前記陰影付け三次元画像及び重み付け投影画像のうちの少なくとも一方の画像の再構成に用いる前記複数の断層像を選択する第２の選択手段と、
前記第２の表示手段に表示させる前記第２の合成画像の変更を指示する第２の指示手段と、
を備え、
前記第２の指示手段によって前記第２の合成画像が変更された場合には、前記第２の選択手段は、前記第２の合成画像の基となる断層像を用いて再構成された陰影付け三次元画像及び重み付け投影画像のうちの少なくとも一方の画像と前記判断手段により使用関係ありと判断された複数の断層像を選択し、
前記再構成手段は、前記第２の選択手段により選択された複数の断層像を基に陰影付け三次元画像及び重み付け投影画像のうちの少なくとも一方の画像を再構成し、
前記第１の表示手段は、前記再構成手段において前記第２の選択手段により選択された複数の断層像を基に再構成された陰影付け三次元画像及び重み付け投影画像のうちの少なくとも一方の画像上に第１の関心領域を合成した第１の合成画像を表示することを特徴とする請求項５に記載の画像表示装置。
【発明の詳細な説明】
【０００１】
【発明の属する技術分野】
本発明は画像表示方法及び装置に関し、特に医用画像上の特定箇所を操作者が対応付け可能な画像表示方法及び装置に関する。
【０００２】
【従来の技術】
陰影付けした３Ｄ画像や重み付け投影画像は、例えば、頭部血管と病巣の立体的位置関係などを把握しやすくするのに便利な表示方法として知られている。
【０００３】
陰影付け３Ｄ画像についての詳細は例えば特願平６−１４３４９６号に記載されており、重み付け投影画像についての詳細は特願平８−２６７２９２号に記載されている。重み付け投影画像は例えば図１７に示すように、画面サイズと同一サイズの分類メモリを、観察したいＣＴ値の範囲の枚数だけ用意し、即ち（ＣＴ値１用メモリ〜ＣＴ値Ｎ用メモリの枚数）×画面サイズの三次元的メモリを用意し、投影線上で分類メモリのＣＴ値をとる画像の有無をその分類メモリに記録している。そして、上記メモリに記憶された画像の有無情報と分類されたＣＴ値ごとの重み係数とを積和演算し、その演算値に応じた濃度値を表示メモリに記録することにより、重み係数の大きいＣＴ値を有する特定部位が強調された透視像を表示する。
【０００４】
【発明が解決しようとする課題】
しかしながら、これらの画像は、例えばＣＴ値の情報を失っており、３Ｄ画像再構成に使用した原ＣＴ画像を参照したい場合が生じている。陰影付けした３Ｄ画像や重み付け投影画像を表示して、陰影づけの対象となった矩形内のＣＴ値を知りたくても不可能である。
【０００５】
また、矩形内にいろいろな臓器が重なって表示される場合があり、識別が困難である。
【０００６】
本発明はこのような事情に鑑みてなされたもので、陰影付けした３Ｄ画像や重み付け投影画像上で指定した関心領域が、陰影づけの対象となった原２Ｄ画像上でどこに対応するかの表示ができ、対応箇所のＣＴ値の情報を得ることができる画像表示方法及び装置を提供することを目的とする。
【０００７】
【課題を解決するための手段】
本発明は上記目的を達成するために、複数の断層像を基に再構成された陰影付け三次元画像及び重み付け投影画像のうちの少なくとも一方の画像を再構成する再構成手段と、前記再構成手段で再構成された陰影付け三次元画像及び重み付け投影画像のうちの少なくとも一方の画像上に第１の関心領域を合成した第１の合成画像を表示する第１の表示手段と、前記複数の断層像のうちの一枚の断層像を選択する第１の選択手段と、前記第１の選択手段によって選択された断層像上に、前記第１の関心領域を通過する投影線と前記断層像との交点の領域である第２の関心領域を合成した第２の合成画像を表示する第２の表示手段と、前記第１の表示手段に表示させる前記第１の合成画像の変更を指示する第１の指示手段と、前記第１の指示手段によって前記第１の合成画像が変更された場合には、当該変更後の第１の合成画像の基となる陰影付け三次元画像及び重み付け投影画像のうちの少なくとも一方の画像と、前記第２の合成画像の基となる断層像との間に使用関係があるかどうかを判断する判断手段と、を備え、前記判断手段によって前記第１の合成画像の基となる陰影付け三次元画像及び重み付け投影画像のうちの少なくとも一方の画像と前記第２の合成画像の基となる断層像との間に使用関係がないと判断された場合には、前記第１の選択手段は、前記再構成された陰影付け三次元画像及び重み付け投影画像のうちの少なくとも一方の画像と使用関係がある複数の断層像のうちの一枚の断層像を選択し、前記第２の表示手段は、前記第１の選択手段により選択された一枚の断層像上に第２の関心領域を合成した第２の合成画像を表示することを特徴とする。このように、陰影付けした３Ｄ画像や重み付け投影画像上で指定した第１の関心領域に対応する第２の関心領域を断層像上で表示ができ、対応箇所のＣＴ値の情報を得ることができる。
【０００８】
前記陰影付け三次元画像と重み付け投影画像との少なくとも一方の画像を再構成する際に、表示画面上から指定した原画像部分を基にして再構成してもよい。また、前記再構成した陰影付け三次元画像と重み付け投影画像との少なくとも一方の画像を原画像と共に表示する場合、いづれか一方の画像を変えた場合、再構成時に使用した使用関係か否かを判定し、使用関係の画像になるように他方の画像を代えて表示してもよい。
【０００９】
【発明の実施の形態】
以下添付図面に従って本発明に係る画像表示方法及び装置の好ましい実施の形態について詳説する。
【００１０】
先ず、本発明の原理について説明する。図１（ａ）に示すように、モニタ１４８の画面に陰影付け３Ｄ画像又は重み付け投影画像１０が表示される。表示された画像上にマウスなどを用いて関心領域１２を設定する。
【００１１】
関心領域１２を設定すると、図１（ｂ）に示すように、陰影付け３Ｄ画像又は重み付け投影画像１０を再構成する際に使用した複数の２Ｄ断層像１４のうちの１枚が画面右側に表示され、この２Ｄ断層像１４にはスライス毎の関心領域１６が合成して表示される。
【００１２】
スライス毎の関心領域１６は図２に示すように、投影面である陰影付け３Ｄ画像１０上に設定した関心領域１２を通過する投影線と原２Ｄ断層像１４との交点の領域とする。一般に、スライス毎の関心領域１６の位置は図３に示すように２Ｄ断層像１４毎に変わる。
【００１３】
図１（ｂ）に示す２Ｄ断層像１４の下に表示された次ボタン１８又は前ボタン２０を押下することによって、次又は前の２Ｄ画像が表示され、この２Ｄ断層像１４にスライス毎の関心領域１６が合成して表示される。これによって、陰影付け３Ｄ画像や重み付け投影画像１０上で指定した関心領域１２が、陰影づけの対象となった原２Ｄ断層像１４上でどこに対応するかの表示ができ、対応箇所のＣＴ値の情報を得ることができる。
【００１４】
図４は本発明の画像表示の手順を示すフローチャートである。
【００１５】
図１（ａ）に示すように、陰影付け３Ｄ画像、重み付け投影画像１０などを画面に表示する（ステップＳ２０）。一般に、画像を再構成する際の視点位置、視線方向は任意である。
【００１６】
マウス１５０などの座標入力装置を用いて画面の画像上に関心領域１２を設定する（ステップＳ２１）。図１（ａ）では関心領域１２を矩形で表示しているが、これに限定されず任意の形をとる。関心領域１２を表す図形を入力し、設定ボタン２２をクリックすると関心領域１２がメモリに正式に記録される。
【００１７】
対比ボタン２４がオン（マウス１５０等によるクリック）か否かを判定する（ステップＳ２２）。対比ボタン２４が押下されれば、図１（ｂ）に示すように２Ｄ断層像１４の１枚目にスライス毎の関心領域１６が合成して表示される（ステップＳ２４）。２Ｄ断層像１４の１枚目を表示するというのは説明のためで、一般には複数の２Ｄ断層像１４のうちの予め定められたｎ枚目が表示される。
【００１８】
ステップＳ２２で対比ボタン２４が押下されていなければ、終了ボタン２６がオンか否かを判定する（ステップＳ２３）。対比ボタン２４が押下されていれば終了し、押下されていなければステップ２２に戻る。
【００１９】
ステップＳ２４で２Ｄ断層像１４の１枚目にスライス毎の関心領域１６を合成して表示したら、次ボタン１８がオンか否かを判定する（ステップＳ２５）。次ボタン１８が押下されていれば図１（ｂ）のように、指定された２Ｄ画像上の対応する位置に関心領域を合成して表示する（ステップＳ２８）。ステップＳ２５に戻る。
【００２０】
ステップＳ２５で次ボタン１８が押下されていなければ、前ボタン２０がオンか否かを判定する（ステップＳ２６）。前ボタン２０が押下されていればステップＳ２８に進み、押下されていなければ終了ボタン２６がオンか否かを判定する（ステップＳ２７）。終了ボタン２６が押下されていればステップＳ２９に進み終了し、押下されていなければ連続ボタン２８がオンか否かを判定する（ステップＳ３０）。連続ボタン２８が押下されていれば次の画像を表示する（ステップＳ３１）。連続ボタン２８が押下されていなければステップＳ２５に戻る。
【００２１】
ステップＳ３１で次の画像を表示したら、終了ボタン２６がオンか否かを判定する（ステップＳ３２）。押下されていれば、連続表示を終了してステップＳ２５に戻る。
【００２２】
以上は平行投影における説明であるが、中心投影でのスライス毎の関心領域１６は図５に示すように２Ｄ画像毎に位置だけでなく大きさも変わる。
【００２３】
２Ｄ画像は計測再構成した断層像１４で説明したが、図６に示すように投影面に平行な補間断層像３０を補間演算で求めて関心領域３２と合成して表示してもよい。なお、この場合は平行投影だと関心領域３２の位置は変わらない。中心投影であれば、関心領域３２の大きさがスライス毎に変わる。
【００２４】
次に、矩形内にいろいろな臓器が重なって表示される場合があり、識別が困難になるのを回避する方法を図７、８で説明する。
【００２５】
図７のＬ、Ｗの初期パラメータを磁気ディスクから読み込んで設定する（ステップＳ８０）。Ｌは選択した一部の断層像の基準面（積み上げた画像の一端）からの距離であり、Ｗは選択した一部の断層像の一番上の断層像から一番下の断層像までの距離である。
【００２６】
重み付け投影画像や陰影付け３Ｄ画像を再構成する場合、表示画面上から指定した原画像部分を基に部分的に再構成し、表示する（ステップＳ８１）。すなわち、前記距離Ｌ、Ｗで決定される選択した断層像を基にして三次元画像、重み付け投影画像などを再構成し表示する。
【００２７】
前記Ｌ、Ｗを変更したかどうかを判定する（ステップＳ８２）。変更したらステップＳ８１に戻る。
【００２８】
変更しなければ、視線方向ボタン４０がオンかどうかを判定する（ステップＳ８３）。オンなら角度変更し（ステップＳ８５）、ステップＳ８１に戻る。
【００２９】
ステップＳ８３で視線方向ボタン４０がオフなら、終了ボタン４２がオンかどうかを判定する（ステップＳ８４）。終了ボタン４２がオンなら終了し、オフならステップＳ８２に戻る。
【００３０】
図７の選択した断層像は原画像に平行であるが、一般には図９のように非平行になる。ここのＬ′は投影面からの距離を示している。この投影面は選択した断層像に平行に配置される。また、ここでの投影面は図面が煩雑になるため省略した。
【００３１】
次に、部分的に再構成した重み付け投影画像や陰影付け３Ｄ画像と２Ｄ断層像を対応づける方法について図１０、１１で説明する。
【００３２】
図１０に示すように画面左側には３Ｄ像や重み付け投影像等１０が表示され、画面右側には２Ｄ断層像１４が表示される。前記各画像の右側には画素値変更のスライドバー５０、５２が表示される。３Ｄ像や重み付け投影像等１０の下側には重み係数５４が表示される。このように、３Ｄ像や重み付け投影像等１０と２Ｄ断層像１４とを並べて表示する場合、いづれか一方の画像を代えた場合、再構成時に使用した”使用関係”か否かを判定し、使用関係の画像になるように他方の画像を代えて表示する。
【００３３】
先ず、前記距離Ｌ、Ｗで決定される断層像１４を基に３Ｄ像や重み付け投影像等を作成し、磁気ディスクなどの記録媒体に格納する（ステップＳ９０）。
【００３４】
断層像のいずれかと、その断層像を使用している３Ｄ像や重み付け投影像等１０を記録媒体から読み出し、表示する（ステップＳ９１）。
【００３５】
そのため、図１０の断層像１４の下に表示された次ボタン１８又は前ボタン２０オンにより別の像を表示した（表示像をπとする）かどうかを判定する（ステップＳ９２）。ｙｅｓならステップＳ１０１に進む。
【００３６】
また、３Ｄ像や重み付け投影像等１０の下の次ボタン５４又は前ボタン５６オンにより別の像を表示したかどうかを判定する（ステップＳ９３）。ｙｅｓならステップＳ９４に進み、ｎｏならステップＳ９６に進む。
【００３７】
表示中の３Ｄ像や重み付け投影像等１０は前記πを使用しているかどうかを判定する（ステップＳ９４）。ｙｅｓならステップＳ９６に進む。
【００３８】
３Ｄ像や重み付け投影像等１０に使用している最初（一般にはいずれかの画像でよい）の断層像１４を表示する（ステップＳ９５）。その後、ステップＳ９２に戻る。連続ボタン２８オンかどうかを判定する（ステップＳ９６）。ｙｅｓならステップＳ９９に進む。ｎｏならステップＳ９７に進む。
【００３９】
終了ボタン２６オンかどうかを判定する（ステップＳ９７）。ｙｅｓならステップＳ９８に進み終了する。ｎｏならステップＳ９２に戻る。
【００４０】
３Ｄ像や重み付け投影像等１０に使用している断層像１４のうち次の断層像を表示する（ステップＳ９９）。
【００４１】
終了ボタン２６オンかどうかを判定する（ステップＳ１００）。ｎｏならステップＳ９９に戻る。ｙｅｓならステップＳ９２に戻る。
【００４２】
表示中の３Ｄ像や重み付け投影像等１０は前記πを使用しているかどうかを判定する（ステップＳ１０１）。ｙｅｓならステップＳ９３に進む。ｎｏならπを使用している３Ｄ像や重み付け投影像等１０を表示する（ステップＳ１０２）。その後、ステップＳ９２に戻る。
【００４３】
以上の説明では、ステップＳ９０で距離Ｌ、Ｗで決まる断層像１４を基に３Ｄ像や重み付け投影像等１０を作成し、磁気ディスクなどの記録媒体に格納しているが、ステップＳ１０２やステップＳ９５において距離Ｌ、Ｗで決まる断層像１４を基に３Ｄ像や重み付け投影像等１０を作成して格納してもよい。
【００４４】
また、前記説明では手動でＷを決めているが、計測時のスライス厚から、例えば式１から自動的にＷを求めてもよい。
【００４５】
【数１】
スライス厚×Ｗ＝予め決めた値                      …式１
スライス厚が厚いほど少ない画像を用いることになる。
【００４６】
図１０では一つの画面上に二種類の画像を並べて表示したが、複数の画面に並べて表示してもよい。また、画素値変更用アイコンで操作することにより、見たい部位を見やすくする。
【００４７】
さらに、図１２（ａ）、（ｂ）、（ｃ）に示すように、断層像の上限値ｔｌ、下限値ｔ２を変更した場合、連動させて、自動的に重み係数を変更するようにしてもよい。上限値ｔｌ、下限値ｔ２を変更する代わりに上限値ｔｌ、下限値ｔ２の中間の値ＬＶと，上限値ｔｌ、下限値ｔ２の差ＷＤとを変更してもよい。角度α、β、長さの比ａ：ｂ及びｃ：ｄは磁気ディスクに記録されており、オペレータにより変更可能である。
【００４８】
また、図１３のように時期、モダリティー、処理方法が異なる複数の画像が表示された画面上でカーソルの複製を作成し、対応づけしやすくしてもよい。矢印（実カーソル）６０はマウスと連動していて、画像上にない場合は１個だけ表示されている。いずれかの画像上に移動すると、他の画像上に複製カーソル６２が対応する位置に表示され、実カーソル６０に連動する。実カーソル６０が画像上から外れると再び１個だけの表示になる。連続表示の時だけ、このモードにしてもよい。
【００４９】
原画像は一般に磁気ディスク中に保存されており、必要に応じて主メモリに読み出される。また、演算結果、および演算時のパラメータは、必要に応じて磁気ディスク中に保存される。
【００５０】
以上説明の画面を纏めると図１４、１５のようになる。図１４に示すように画面の中央左側には患者番号（ＩＤ）１０５が表示され、ＩＤ１０５の右側にスライドバー１０２が表示され、スライドバー１０２をマウス操作しＩＤ１０５をクリックして選ぶ。ＩＤ１０５に対応するＣＴ原画像１０６が画面の中央左側に表示される。投影方法選択ボックス１００で投影方法を選択し、開始視角設定ボックス１２０で最初の視点角度である開始視角を設定し、終了視角設定ボックス１２２で最後の視点角度である終了視角を設定し、再構成数設定ボックス１２４で再構成枚数を設定し、間隔設定ボックス１２６で視点の回転角度である間隔を設定する。積み上げ最大数設定ボックス１０１で再構成に使う原画像の最大数を設定する。また、複数登録された重み係数１１０をラジオボタン１１３で選択し、表示輝度設定バー１０９で表示輝度を設定し、ガンマ変換選択ボタン１０８で表示濃度のガンマ変換を選択し、合成範囲設定スライドバー１０７でＣＴ値で分類した個数との積和範囲を設定し演算開始ボタン１２８をクリックする。
【００５１】
前記演算開始ボタン１２８をクリックすることによって、図１５に示すように画面の中央左側には演算結果１３０が表示される。画面右側には演算結果１３０の再構成に使用した原画像１０６が設定された投影方法、開始視角、終了視角、再構成数、間隔に従って表示される。演算結果１３０と原画像１０６の上方には各々スライドバー１０３ｂ、１０３が表示され、画素値が０のＣＴ値の最大値Ｌ１と画素値が２５５のＣＴ値の最小値Ｌ２とを変更することができる。
【００５２】
原画像１０６の下方にはモード選択ボックス１３２が表示され、静止モードが選択されたときはスライドバー１０４で変更でき、動画モードが選択されたときは演算結果１３０の再構成に使用した原画像が繰り返し連続表示される。連続表示時の画像間のデイレイはデイレイバー１１２で調節できる。全動画モードが選択されたときは全原画像が繰り返し連続表示される。カーソル選択ボックス１１１で１を選択すると実カーソルだけが表示され、ｎを選択すると実カーソルが画像上に位置するときに、他方の画像の対応する位置に複製カーソルが表示される。
【００５３】
また、画面の左隅には距離計測等の機能のファンクションボタン１３４、登録ボタン１３６、終了ボタン１３８が表示される。
【００５４】
図１６は、画像表示装置のハードウェア構成を示すブロック図である。この画像表示装置は、例えばＸ線ＣＴ装置で被検体の対象部位について収集した医用画像データを記録し表示するもので、各構成要素の動作を制御する中央演算処理装置（ＣＰＵ）１４０と、装置の制御プログラムが格納された主メモリ１４２と、複数の断層像及び画像再構成プログラム等が格納された磁気ディスク１４４と、再構成された画像データを表示するために記憶する表示メモリ１４６と、この表示メモリ１４６からの画像データを表示するＣＲＴモニタ１４８と、位置入力手段としてのマウス１５０と、マウス１５０の状態を検出してＣＲＴモニタ１４８上のマウスポインタの位置やマウス１５０の状態等の信号をＣＰＵ１４０に出力するマウスコントローラ１５２と、各種の操作指令等を入力するキーボード１５４と、上記各種構成要素を接続する共通バス１５６とから構成される。
【００５５】
【発明の効果】
以上説明したように本発明によれば、陰影付けした３Ｄ画像や重み付け投影画像上で指定した関心領域が、陰影づけの対象となった原２Ｄ画像上でどこに対応するかの表示ができるので、対応箇所のＣＴ値の情報を得ることができる。
【図面の簡単な説明】
【図１】本発明の画像表示方法及び装置の概念を示す画面構成図
【図２】平行投影でのスライス毎の関心領域の求め方を示す説明図
【図３】平行投影でのスライス毎の関心領域を示す説明図
【図４】本発明の画像表示方法の関心領域を対応付けて表示する手順を示すフローチャート
【図５】中心投影でのスライス毎の関心領域の求め方を示す説明図
【図６】投影面に平行な補間画像を示す説明図
【図７】断層像の選択方法を示す説明図
【図８】断層像の選択方法を示すフローチャート
【図９】原画像に非平行な断層像を選択する方法を示す説明図
【図１０】部分的に再構成した重み付け投影画像や陰影付け３Ｄ画像と原画像とを対応づける手順を示す画面構成図
【図１１】部分的に再構成した重み付け投影画像や陰影付け３Ｄ画像と原画像とを対応づける手順を示すフローチャート
【図１２】ＣＴ変換用テーブルと重み係数を連動させる方法を示す説明図
【図１３】カーソルの複製を表示する方法を示す説明図
【図１４】本発明の画像表示装置の画面構成図
【図１５】本発明の画像表示装置の画面構成図
【図１６】本発明の適用可能なハードウエア構成図
【図１７】重み付け投影画像を示す説明図
【符号の説明】
１０…陰影付け３Ｄ画像、重み付け投影画像等、１２、１６…関心領域、１４…断層像、６０…実カーソル、６２…複製カーソル、１４０…ＣＰＵ、１４８…ＣＲＴモニタ、１５０…マウス
【図１】
0004313910.tif 000002
【図２】
0004313910.tif 000003
【図３】
0004313910.tif 000004
【図４】
0004313910.tif 000005
【図５】
0004313910.tif 000006
【図６】
0004313910.tif 000007
【図７】
0004313910.tif 000008
【図８】
0004313910.tif 000009
【図９】
0004313910.tif 000010
【図１０】
0004313910.tif 000011
【図１１】
0004313910.tif 000012
【図１２】
0004313910.tif 000013
【図１３】
0004313910.tif 000014
【図１４】
0004313910.tif 000015
【図１５】
0004313910.tif 000016
【図１６】
0004313910.tif 000017
【図１７】
0004313910.tif 000018